【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
穿刺針が刺入される被検体を撮像する超音波画像診断装置であって、
パルス信号の入力によって被検体に向けて送信超音波を出力するとともに、被検体からの反射超音波を受信することにより受信信号を出力する超音波探触子と、
第１のパルス信号及び当該第１のパルス信号の極性が反転された第２のパルス信号を生成して前記超音波探触子に出力する送信部と、
前記超音波探触子からの受信信号を受信して音線データを生成する受信部と、
前記第１のパルス信号に対応する第１の音線データと前記第２のパルス信号に対応する第２の音線データとを加算して高調波音線データを生成する加算部と、
前記第１の音線データまたは前記第２の音線データから基本波ラインデータを生成し、前記生成された高調波音線データから高調波ラインデータを生成するライン信号処理部と、
前記生成された基本波ラインデータから基本波画像データを生成する基本波画像生成部と、
前記生成された基本波画像データから前記穿刺針に対応する画像領域である針画像データを生成する針画像生成部と、
前記生成された高調波ラインデータから高調波画像データを生成する高調波画像生成部と、
前記生成された針画像データと前記生成された高調波画像データとを合成して合成画像データを生成する合成部と、
前記生成された合成画像データを表示部に表示する表示制御部と、を備え、
前記第１の音線データまたは前記第２の音線データを記憶する記憶部を有し、
前記加算部は、前記記憶部に記憶された前記第１の音線データまたは前記第２の音線データに基づき、前記高調波音線データを生成する超音波画像診断装置。
【請求項２】
前記針画像生成部は、穿刺針領域を強調した針画像データを生成する請求項１に記載の超音波画像診断装置。
【請求項３】
前記記憶された第１の音線データと前記第２のパルス信号に対応する第２の音線データとが加算された高調波音線データと、
前記生成された第１の音線データと、を切り替えて出力するスイッチを有する請求項１または２に記載の超音波画像診断装置。
【請求項４】
前記ライン信号処理部は、前記生成された第１の音線データに基本波画像用の処理を行って基本波ラインデータを生成し、前記生成された高調波音線データに高調波画像用の処理を行って高調波ラインデータを生成する請求項１から３のいずれか一項に記載の超音波画像診断装置。
【請求項５】
前記針画像生成部は、
前記生成された基本波画像データを平滑化して第１の平滑化画像データを生成する第１の平滑化処理部と、
前記基本波画像データを前記第１の平滑化画像データの平滑化より強く平滑化して第２の平滑化画像データを生成する第２の平滑化処理部と、
前記第１の平滑化画像データから、前記第２の平滑化画像データとの差分をとる減算部と、を備える請求項１から４のいずれか一項に記載の超音波画像診断装置。
【請求項６】
前記第２の平滑化処理部は、前記基本波画像データの実サイズスケールで、垂直より水平方向に強く平滑化を行う請求項５に記載の超音波画像診断装置。
【請求項７】
前記針画像生成部は、前記第１の平滑化画像データを生成する第１の平滑化領域と、前記第２の平滑化画像データを生成する第２の平滑化領域とを設定し、
前記第１の平滑化領域は、前記第２の平滑化領域の略中央部に設定され、平滑化対象画素が、前記第１の平滑化領域の略中央部に設定される請求項５に記載の超音波画像診断装置。
【請求項８】
前記第１の平滑化領域は、前記第２の平滑化領域の基本波画像データの水平方向、または垂直方向の略中央部に設定される請求項７に記載の超音波画像診断装置。
【請求項９】
表示深度の入力を受け付ける第１の入力部を備え、
前記第１の平滑化処理部は、前記入力された表示深度が深いほど、より小さな前記第１の平滑化領域を用いて、前記第１の平滑化画像データを生成し、
前記第２の平滑化処理部は、前記入力された表示深度が深いほど、より小さな前記第２の平滑化領域を用いて、前記第２の平滑化画像データを生成する請求項７または８に記載の超音波画像診断装置。
【請求項１０】
前記生成された針画像データに階調補正を行う第１のコントラスト補正処理を行う第１のコントラスト補正部を備えた請求項１から９のいずれか一項に記載の超音波画像診断装置。
【請求項１１】
前記生成された高周波画像データに階調補正を行う第２のコントラスト補正処理を行う第２のコントラスト補正部を備えた請求項１から１０のいずれか一項に記載の超音波画像診断装置。
【請求項１２】
針画像データの合成率の入力を受け付ける第２の入力部と、
前記生成された針画像データの輝度値に前記入力された合成率を乗算する乗算部と、を備え、
前記合成部は、前記合成率が乗算された針画像データと前記生成された高調波画像データとを合成して前記合成画像データを生成する請求項１から１１のいずれか一項に記載の超音波画像診断装置。
【手続補正２】
【補正対象書類名】明細書
【補正対象項目名】００１５
【補正方法】変更
【補正の内容】
【００１５】
以上の課題を解決するため、請求項１に記載の発明は、
穿刺針が刺入される被検体を撮像する超音波画像診断装置であって、
パルス信号の入力によって被検体に向けて送信超音波を出力するとともに、被検体からの反射超音波を受信することにより受信信号を出力する超音波探触子と、
第１のパルス信号及び当該第１のパルス信号の極性が反転された第２のパルス信号を生成して前記超音波探触子に出力する送信部と、
前記超音波探触子からの受信信号を受信して音線データを生成する受信部と、
前記第１のパルス信号に対応する第１の音線データと前記第２のパルス信号に対応する第２の音線データとを加算して高調波音線データを生成する加算部と、
前記第１の音線データまたは前記第２の音線データから基本波ラインデータを生成し、前記生成された高調波音線データから高調波ラインデータを生成するライン信号処理部と、
前記生成された基本波ラインデータから基本波画像データを生成する基本波画像生成部と、
前記生成された基本波画像データから前記穿刺針に対応する画像領域である針画像データを生成する針画像生成部と、
前記生成された高調波ラインデータから高調波画像データを生成する高調波画像生成部と、
前記生成された針画像データと前記生成された高調波画像データとを合成して合成画像データを生成する合成部と、
前記生成された合成画像データを表示部に表示する表示制御部と、を備え、
前記第１の音線データまたは前記第２の音線データを記憶する記憶部を有し、
前記加算部は、前記記憶部に記憶された前記第１の音線データまたは前記第２の音線データに基づき、前記高調波音線データを生成する。
請求項２に記載の発明は、請求項１に記載の超音波画像診断装置において、
前記針画像生成部は、穿刺針領域を強調した針画像データを生成する。
【手続補正３】
【補正対象書類名】明細書
【補正対象項目名】００１６
【補正方法】変更
【補正の内容】
【００１６】
請求項３に記載の発明は、請求項１または２に記載の超音波画像診断装置において、
前記記憶された第１の音線データと前記第２のパルス信号に対応する第２の音線データとが加算された高調波音線データと、
前記生成された第１の音線データと、を切り替えて出力するスイッチを有する。
【手続補正４】
【補正対象書類名】明細書
【補正対象項目名】００１７
【補正方法】変更
【補正の内容】
【００１７】
請求項４に記載の発明は、請求項１から３のいずれか一項に記載の超音波画像診断装置において、
前記ライン信号処理部は、前記生成された第１の音線データに基本波画像用の処理を行って基本波ラインデータを生成し、前記生成された高調波音線データに高調波画像用の処理を行って高調波ラインデータを生成する。
【手続補正５】
【補正対象書類名】明細書
【補正対象項目名】００１８
【補正方法】変更
【補正の内容】
【００１８】
請求項５に記載の発明は、請求項１から４のいずれか一項に記載の超音波画像診断装置において、
前記針画像生成部は、
前記生成された基本波画像データを平滑化して第１の平滑化画像データを生成する第１の平滑化処理部と、
前記基本波画像データを前記第１の平滑化画像データの平滑化より強く平滑化して第２の平滑化画像データを生成する第２の平滑化処理部と、
前記第１の平滑化画像データから、前記第２の平滑化画像データとの差分をとる減算部と、を備える。
【手続補正６】
【補正対象書類名】明細書
【補正対象項目名】００１９
【補正方法】変更
【補正の内容】
【００１９】
請求項６に記載の発明は、請求項５に記載の超音波画像診断装置において、
前記第２の平滑化処理部は、前記基本波画像データの実サイズスケールで、垂直より水平方向に強く平滑化を行う。
【手続補正７】
【補正対象書類名】明細書
【補正対象項目名】００２０
【補正方法】変更
【補正の内容】
【００２０】
請求項７に記載の発明は、請求項５に記載の超音波画像診断装置において、
前記針画像生成部は、前記第１の平滑化画像データを生成する第１の平滑化領域と、前記第２の平滑化画像データを生成する第２の平滑化領域とを設定し、
前記第１の平滑化領域は、前記第２の平滑化領域の略中央部に設定され、平滑化対象画素が、前記第１の平滑化領域の略中央部に設定される。
【手続補正８】
【補正対象書類名】明細書
【補正対象項目名】００２１
【補正方法】変更
【補正の内容】
【００２１】
請求項８に記載の発明は、請求項７に記載の超音波画像診断装置において、
前記第１の平滑化領域は、前記第２の平滑化領域の基本波画像データの水平方向、または垂直方向の略中央部に設定される。
【手続補正９】
【補正対象書類名】明細書
【補正対象項目名】００２２
【補正方法】変更
【補正の内容】
【００２２】
請求項９に記載の発明は、請求項７または８に記載の超音波画像診断装置において、
表示深度の入力を受け付ける第１の入力部を備え、
前記第１の平滑化処理部は、前記入力された表示深度が深いほど、より小さな前記第１の平滑化領域を用いて、前記第１の平滑化画像データを生成し、
前記第２の平滑化処理部は、前記入力された表示深度が深いほど、より小さな前記第２の平滑化領域を用いて、前記第２の平滑化画像データを生成する。
【手続補正１０】
【補正対象書類名】明細書
【補正対象項目名】００２３
【補正方法】変更
【補正の内容】
【００２３】
請求項１０に記載の発明は、請求項１から９のいずれか一項に記載の超音波画像診断装置において、
前記生成された針画像データに階調補正を行う第１のコントラスト補正処理を行う第１のコントラスト補正部を備えた。
【手続補正１１】
【補正対象書類名】明細書
【補正対象項目名】００２４
【補正方法】変更
【補正の内容】
【００２４】
請求項１１に記載の発明は、請求項１から１０のいずれか一項に記載の超音波画像診断装置において、
前記生成された高周波画像データに階調補正を行う第２のコントラスト補正処理を行う第２のコントラスト補正部を備えた。
【手続補正１２】
【補正対象書類名】明細書
【補正対象項目名】００２５
【補正方法】変更
【補正の内容】
【００２５】
請求項１２に記載の発明は、請求項１から１１のいずれか一項に記載の超音波画像診断装置において、
針画像データの合成率の入力を受け付ける第２の入力部と、
前記生成された針画像データの輝度値に前記入力された合成率を乗算する乗算部と、を備え、
前記合成部は、前記合成率が乗算された針画像データと前記生成された高調波画像データとを合成して前記合成画像データを生成する。